(57)【要約】【課題】本発明の課題は、大便、小便、屁を区別できるだけでなく、大便の中でも下痢、軟便、硬質便の判定と、尿漏れや便漏れも検出し、速やかに介護者に排泄処置を伝達する。【解決手段】被介護者の布団に囲まれた空間で両太股の間の近傍のシーツの下に、アンモニアや硫化水素やアミン類を検出できる臭いセンサと湿度センサを設置し、シーツを通して吸気ファンで空気を強制循環させ、検出した臭いセンサの強さの変化量と持続時間と、湿度センサの湿度の変化量と持続時間の情報から、排泄物の種類とオムツ漏れを判断し、介護者に排泄処置の緊急度を通知する。【選択図】図１
2014033745.tif 000002
【特許請求の範囲】
【請求項１】
空気孔を設けた隔離板の片方に空気の強制循環のための吸気ファンと空気の性質を計測するセンサとケーブルを取り付け、該ケーブルにより吸気ファン電源供給と該センサの計測値信号を通し、ケーブルの他端はコネクタとし、センサ制御装置のコネクタと接続する構成の排泄検出センサ。
【請求項２】
請求項１の排泄検出センサを被介護者の敷き布団のシーツの下に置き、臭いセンサの強さの変化量と持続時間と、湿度センサの湿度の変化量と持続時間の情報から、排泄物の種類とオムツ漏れを検出し、介護者に排泄処置の緊急度を通知する排泄検出装置
【発明の詳細な説明】
【技術分野】
【０００１】
本発明は、自分の意思を伝えられない被介護者の排泄物の種類とオムツ漏れを検出する排泄検出センサと、排泄物の種類と排泄状況から得た排泄処置の緊急度を介護者に伝達する排泄検出装置に関するものである。
【背景技術】
【０００２】
従来の排泄検出装置に関する技術として、（特許文献１参照）排せつ検出装置や（特許文献２参照）排泄検出装置と排泄検出方法があるが、ポンプでオムツの中にパイプを差し込み吸引したり、オムツにセンサを張り付けるなどの煩わしい方法をとり、その上大便、小便、屁を区別できるだけの技術であった。しかし、介護の現場では、大便の中でも下痢、正常便、硬質便の判定ができ、その上排泄物のオムツ漏れも判定し、さらに排泄処置の緊急度を通知できる装置が要求されている。
【先行技術文献】
【特許文献】
【０００３】
【特許文献１】特開平１０−１９２３２４号公報
【特許文献２】特開２０００−２４５７９号公報
【特許文献３】特開２００２−１４３１９９号公報
【特許文献４】特開平９−２９０００１号公報
【発明の概要】
【発明が解決しようとする課題】
【０００４】
本発明の課題は、大便、小便、屁を区別できるだけでなく、大便の中でも下痢、軟便、硬質便の判定ができ、また、尿漏れや便漏れも検出する排泄検出センサと、速やかに介護者に排泄処置の緊急度を伝達する排泄検出装置を開発することである。
【課題を解決するための手段】
【０００５】
オムツからの尿漏れや便漏れを検出するためには、オムツの外にセンサを設置しなくてはいけないが、オムツの外で臭い、湿度、および温度等の空気の性質を計測するセンサの設置個所は、被介護者の邪魔にならない事、オムツに近い事、常時設置しておける事が要求されるため、被介護者の太股の中間あたりの下部のシーツの下が理想である。
【０００６】
しかし、該シーツの下は、排泄があっても空気の動きがないために臭いや湿度を検出出来ない決定的な問題点がある。これを解決するために本発明ではシーツの下に強制的に空気を循環させるために、センサヘッドに吸気ファンを設置し、強制的に吸気した空気より空気の性質をセンサで計測する事により、迅速に空気の性質の変化を検出でき構造とする。
【０００７】
被介護者の太股の中間あたりの上部の掛け布団の内側にセンサを設置する方法は、夏場はタオルケット等の薄い寝具を使用されるので、センサを設置しにくい面があるが、冬場は掛け布団に厚い布団を使用するので掛け布団のシーツの上部にセンサを設置する事もできる。
【発明の効果】
【０００８】
軟便や下痢は粘性が高いためにオムツの水分吸収体の吸収率が低く、便もれによる衣類や寝具の汚染が発生しやすく、軟便や下痢には消化液がそのまま残存していることが多く、被介護者の皮膚障害発生の一因になっていた。また排便を長時間放置することが被介護者も介護者双方の肉体的・精神的負担を増大させていた。その上非衛生であり院内感染等の発生要因となる恐れもある。
【０００９】
少量の排尿は近年のオムツの水分吸収材の発達で被介護者に不快感を与えることが少なく、少量の排尿を検出した時は介護者には排泄処置の緊急度が低い事を通知する。しかし、数度の排尿はオムツの吸収限界を超えれば尿漏れを起こすために、排泄処置の緊急度が高い事を通知する。硬質便の臭いは強いが湿度は小さい、しかし、排泄処置の緊急度が高い事を通知する。また軟便や下痢は介護者に排泄処置の緊急度が非常に高い事を通知する。湿度が異常に高くなり時間経過で湿度が減少しない場合は、オムツから排泄物の漏れが発生した事を表すので、これも介護者に排泄処置の緊急度が非常に高い事を通知する。
【００１０】
このように本発明の排泄検出装置は、排泄検出センサからの迅速な情報から排泄物の種類と状況を推論し、介護者に排泄物の処置の緊急度を通知する。そのために介護者は通知された緊急度から適切な排泄処置の判断ができ、介護者の負担を大きく削減するとともに、被介護者が清潔で快適な看護を受けられるという効果がある。
【図面の簡単な説明】
【００１１】
【図１】図１は吸気ファンとセンサを硬質の保護カバーをしたセンサヘッドの空気孔の方向から見た場合の鳥瞰図である。
【図２】図２はセンサヘッドの内部を隔離板のセンサ部品側からみた場合の鳥瞰図である。
【図３】図３はセンサヘッドとセンサ制御機と排泄監視装置を布団に設置した場合の平面図である。
【図４】図４はセンサを敷き布団に設置した場合の図３のＡ−Ａ部の垂直部分断面図である。
【図５】図５はセンサを掛け布団に設置した場合の図３のＡ−Ａ部の垂直部分断面図である。
【発明を実施するための形態】
【００１２】
排泄検出センサを被介護者の敷き布団のシーツの下に置き、吸気ファンにてシーツを通して布団に囲まれた空間の空気を吸引し、アンモニアや硫化水素やアミン類を検出できる臭いセンサの強さの変化量と持続時間と、湿度センサの湿度の変化量と持続時間の情報の組み合わせから、排泄物の種類とオムツ漏れを推論し、被介護者の排泄処置の緊急度を介護者に伝達する。  
【実施例１】
【００１３】
図１は図２のセンサ構成部品（吸気ファン４、臭いセンサ５１、湿度センサ５２および温度センサ５３）を硬質プラスチックの保護ケース９に収めた状態の実施例である。この場合硬質プラスチックが隔離板３を兼用することで保護ケース９の全体の厚みを薄くする事ができ、また硬質プラスチックの剛性のため吸気ファン４に直接外力が掛からないメリットがある。 排気孔は保護ケース側面または下面に開けると吸入空気と混在し難い。隔離板３とセンサ構成部品を軟質プラスチックや布製のソフトケースに収める事もできる。この場合センサヘッド７が柔らかいために被介護者に違和感与える事が少なくなるメリットがある。
【００１４】
排泄検出センサは、経年劣化や衛生面からも交換する事が要求されるが、本発明の排泄検出センサは、排泄検出センサ全体を交換し、新しい排泄検出センサのコネクタプラグ１を伝送部のコネクタジャック１５に接続する事で簡単に交換する事ができる。
【００１５】
また、排泄検出センサは常時設置の形態のために、従来の排泄検出センサのように介護者がオムツ交換ごとに排泄検出センサを付け替えるような煩わしい作業が全くなくなり、また消耗品となるセンサもない大きい特徴がある。
【実施例２】
【００１６】
図２は空気孔６の空いた隔離板３の片面に、吸気ファン４、臭いセンサ５１、湿度センサ５２および温度センサ５３からなる部品を取り付け、該部品にケーブル２を接続し、該ケーブル２の他端にコネクタプラグ１を取り付ける。隔離板３は吸気ファン４の回転により部品側に常に新しい循環空気の送り込む効果を持たすと共に、部品の取り付けベースの役目を果たす。
【００１７】
ケーブル２はLANケーブルをコネクタジャック１５はＲＪ４５を使用した。ＬＡＮケーブルの線心数は８心であるが、センサはＩ２Ｃ（アイ・スクエアド・シー）バスで接続されるものを使うと、ケーブル２の線心数が減り、吸気ファン４の電源供給も可能となる。
【００１８】
吸気ファン４はコンピュータのＩＣ冷却用のＤＣブラシレスモータを使用する事で１０、０００時間以上の長期寿命と低ノイズを達成でき、センサヘッド７とセンサ制御装置１６間を細いケーブル２で接続しても安定したセンサ情報の入力が可能となる。
【実施例３】
【００１９】
図３は、本発明装置の実施例の平面図であって、敷き布団１１、掛け布団１０、人体１２、センサヘッド７、ケーブル２、排泄検出装置１６、伝送部８、センサ制御装置９、コネクタジャック１、コネクタプラグ１５から構成する。センサヘッド７は、被介護者の排泄物の臭いや湿度や温度を検出するために布団に囲まれた空間に置き、具体的には両太股１４の中間辺りの敷き布団１１のシーツの下が、オムツに近くて、被介護者の邪魔にならない設置位置である。排泄検出装置本体は排泄物の臭いや湿度や温度に左右されない布団の外に設置する。
【００２０】
人間の太股１４が異物を感じる触感は鈍くて、厚みが１５ｍｍ程度のセンサヘッド７が敷き布団１１のシーツの下にあっても異物と感じる事はない。しかし、シーツの下にセンサヘッド７を置く事により、シーツの下の空間は空気循環がないので臭いも湿度も変化することはない。そのため本発明では吸気ファン４を回して強制的に空気循環を起こすことで、湿度、臭い及び温度の変化を迅速に知ることが可能となった。  
【００２１】
また、実施例では吸気ファン４はセンサ制御機でＯＮ／ＯＦＦ制御をしているために、オムツ漏れを感知した場合は、直ちに吸気ファン４を停止させてセンサヘッド７の汚れる事を防止する機能を持たせる。
【００２２】
センサヘッド７で検出した湿度、臭い及び温度の情報は、ケーブル２を通してセンサ制御装置１６に送られる。湿度は下痢、軟便、尿、硬質便の順に高くなる。しかし、湿度は気候や空調環境により変化するので、より短い時間での湿度の変化を検出してセンサ制御装置１６の湿度情報とする。  
【００２３】
臭いは下痢、軟便、硬質便、屁、尿の順に強くなるが、屁の臭いは一時的である。臭いは被介護者の個人差や環境によっても臭いのレベルが変化するので、時間的変化量をみてセンサ制御装置１６の臭い情報とする。
【００２４】
オムツは水分を吸収するので、湿気は徐々に下がって行くが、オムツ漏れが生じると湿気は下がってこない、この現象を捉えて尿漏れ、もしくは便漏れを判定する。    
【００２５】
温度は排泄検出には直接的には関与しないが、体温と比べて低い値の場合は、人体１２と温度センサ５３が離れた事を示す。これはセンサヘッド７の位置が布団の中央部からズレたか、被介護者が離床した事になる。もしくは被介護者の体温が急変した事の検出にもなる。
【００２６】
センサ制御装置１６は上記のセンサ情報をもとに排泄の種類と排泄処置の緊急度を推論し、伝送部８を通じて排泄検出装置１７に排泄の種類と排泄処置の緊急度を送信する。伝送部８は有線より近距離無線通信や特定小電力などの無線通信方式を使う方が有線方式より望ましい。
【００２７】
排泄検出装置１７は種類と排泄処置の緊急度に応じて、表示やアラームで介護者に通知する。家庭用は排泄検出センサと監視部は１：１で良いが、介護施設や病院ではｎ：１になるので排泄検出センサを使う非介護者の排泄リズムを排泄管理データベースで管理し、より高度な排泄監視システムとして機能させことができる。  
【実施例４】
【００２８】
図４は、排泄検出センサのセンサヘッド７とケーブル２は、敷き布団１１と掛け布団１０の間に存在する空間で2本の太股１４の中間付近の敷き布団１１とシーツ間の人体１２に近い側に設置した部分断面図である。
【実施例５】
【００２９】
図５は、排泄検出センサのセンサヘッド７とケーブル２、敷き布団１１と掛け布団１０の間に存在する空間で2本の太股１４の中間付近の掛け布団１０とシーツ間の人体１２に近い側に設置した部分断面図である。
【産業上の利用可能性】
【００３０】
介護現場では、介護師の人で不足と、夜間勤務や激務のため介護師の負荷を減らす装置が求められている。本発明によりオムツ換えが緊急度に応じて適切にできるので、介護師の介護業務の負荷の軽減と被介護者の快適さが向上する。
【符号の説明】
【００３１】
１    コネクタプラグ
２    ケーブル
３    隔離板
４    吸気ファン
５１  臭いセンサ
５２  湿度センサ
５３  温度センサ
６    空気孔
７    センサヘッド
８    伝送部
９    保護カバー
１０  掛け布団
１１  敷き布団
１２  人体
１３  胴体
１４  太股
１５  コネクタジャック
１６  センサ制御装置
１７  排泄監視装置
【図１】
2014033745.tif 000003
【図２】
2014033745.tif 000004
【図３】
2014033745.tif 000005
【図４】
2014033745.tif 000006
【図５】
2014033745.tif 000007